(57)【要約】【課題】自動で誤り訂正機能を検知することを目的としており、さらに伝送路上の回線品質を認識し自動で誤り訂正機能を設定することで、映像／音声の障害時間を少なくする事を目的とする。【解決手段】情報送信装置から情報を入力する受信部７と、入力された情報が所定の基準により誤り訂正符号化されているかどうかを判定するフラグ判定部１２と、上記情報が誤り訂正符号化されていると判定された場合に、上記情報を誤り訂正復号する誤り訂正復号部８と、上記情報が誤り訂正符号化されていると判定された場合に、上記誤り訂正復号部８により誤り訂正復号された情報を出力し、上記情報が誤り訂正符号化されていないと判定された場合に、誤り訂正復号されていない情報を出力する出力部１１とを備えたことを特徴とする。【選択図】        図１
2004312425.tif 000002
【特許請求の範囲】
【請求項１】
情報送信装置から情報を入力する入力部と、
上記入力部により入力された情報が所定の基準により誤り訂正符号化されているかどうかを判定する誤り訂正符号化判定部と、
上記誤り訂正符号化判定部により上記情報が誤り訂正符号化されていると判定された場合に、上記入力部により入力された情報を誤り訂正復号する誤り訂正復号部と、
上記誤り訂正符号化判定部により上記情報が誤り訂正符号化されていると判定された場合に、上記誤り訂正復号部により誤り訂正復号された情報を出力し、上記誤り訂正符号化判定部により上記情報が誤り訂正符号化されていないと判定された場合に、上記誤り訂正復号部により誤り訂正復号されていない情報を出力する出力部と
を備えたことを特徴とする情報受信装置。
【請求項２】
上記入力部は、所定の間隔でフラグを有する情報を入力し、
上記誤り訂正符号化判定部は、上記入力部により入力された情報が有するフラグの間隔を検出し、検出された間隔に基づいて、上記情報が誤り訂正符号化されているかどうかを判定し、
上記誤り訂正復号部は、上記誤り訂正符号化判定部により上記情報が誤り訂正符号化されていると判定された場合に、上記誤り訂正符号化判定部から上記情報を入力し、入力された情報を誤り訂正復号し、
上記情報受信装置は、さらに、上記誤り訂正符号化判定部により上記情報が誤り訂正符号化されていると判定された場合に、上記誤り訂正復号部により誤り訂正復号された情報を選択し、上記誤り訂正符号化判定部により上記情報が誤り訂正符号化されていないと判定された場合に、上記誤り訂正符号化判定部から上記情報を入力し、入力された情報を選択する選択部を備え、
上記出力部は、上記選択部により選択された情報を出力することを特徴とする請求項１記載の情報受信装置。
【請求項３】
上記情報は、誤り訂正用データを有し、
上記誤り訂正符号化判定部は、上記入力部により入力された情報が有するフラグの間隔を検出し、検出された間隔が上記誤り訂正用データ分だけ長くなっている場合に、上記情報が誤り訂正符号化されていると判定することを特徴とする請求項２記載の情報受信装置。
【請求項４】
上記出力部は、出力する情報にエラーが存在する場合に、エラー情報を上記誤り訂正符号化判定部に出力し、
上記誤り訂正符号化判定部は、上記出力部からエラー情報を入力した場合に、上記情報が誤り訂正符号化されていると判定することを特徴とする請求項１記載の情報受信装置。
【請求項５】
上記情報受信装置は、さらに、上記誤り訂正符号化判定部により上記情報が誤り訂正符号化されていると判定された場合に、上記入力部により入力された情報を選択し、選択された情報を上記誤り訂正復号部に出力し、上記誤り訂正符号化判定部により上記情報が誤り訂正符号化されていないと判定された場合に、上記入力部により入力された情報を選択し、選択された情報を上記誤り訂正符号化判定部に出力する選択部を備えたことを特徴とする請求項４記載の情報受信装置。
【請求項６】
情報受信装置との間の回線の品質を判定する回線品質判定部と、
情報を入力する入力部と、
上記入力部により入力された情報を誤り訂正符号化する誤り訂正符号化部と、
上記回線品質判定部により上記回線の品質が悪いと判定された場合に、上記誤り訂正符号化部により誤り訂正符号化された情報を選択し、上記回線品質判定部により上記回線の品質が悪くないと判定された場合に、上記誤り訂正符号化部により誤り訂正符号化されていない情報を選択する選択部と、
上記選択部により選択された情報を情報受信装置に出力する出力部と
を備えたことを特徴とする情報送信装置。
【請求項７】
上記情報受信装置は、さらに、上記情報送信装置との間の回線の品質を判定する回線品質判定部を備え、
上記誤り訂正符号化判定部は、上記回線品質判定部により回線の品質が悪いと判定された場合に、上記情報が誤り訂正符号化されていると判定することを特徴とする請求項１記載の情報受信装置。
【請求項８】
上記情報受信装置は、さらに、上記情報が上記誤り訂正符号化判定部により判定されている第１の期間と上記誤り訂正復号部により誤り訂正復号されている第２の期間との間、上記入力部により入力された情報を蓄積するバッファ部を備えたことを特徴とする請求項１記載の情報受信装置。
【請求項９】
上記情報受信装置は、さらに、上記入力部により入力された情報に基づいて上記情報送信装置との間の回線の品質を判定し、上記回線品質判定部により回線の品質が悪いと判定された場合に、上記情報を誤り訂正符号化すべきことを示す識別情報を出力する回線品質判定部を備え、
上記入力部は、さらに、上記情報送信装置に所定の情報を出力可能な出入力部として機能し、上記回線品質判定部により出力された識別情報を上記情報送信装置に出力することを特徴とする請求項１記載の情報受信装置。
【請求項１０】
上記情報受信装置は、さらに、上記入力部により入力された情報に基づいて上記情報送信装置との間の回線の品質を判定する回線品質判定部を備え、
上記誤り訂正符号化判定部は、上記回線品質判定部により回線の品質が悪いと判定された場合に、上記情報が誤り訂正符号化されていると判定することを特徴とする請求項１記載の情報受信装置。
【請求項１１】
上記情報受信装置は、さらに、上記入力部により入力された情報に基づいて上記情報送信装置との間の回線の品質レベルを測定する回線品質測定部を備え、
上記誤り訂正符号化判定部は、上記回線品質測定部により測定された回線の品質レベルが所定の基準と比較し悪い場合に、上記情報が誤り訂正符号化されていると判定することを特徴とする請求項１記載の情報受信装置。
【請求項１２】
情報を入力する入力部と、
情報受信装置から上記情報受信装置との間の回線に関する回線情報を入力し、入力された回線情報に基づいて上記入力部により入力された情報を誤り訂正符号化する誤り訂正符号化部と、
上記誤り訂正符号化部により誤り訂正符号化された情報を上記情報受信装置に出力する出力部と
を備えたことを特徴とする情報送信装置。
【請求項１３】
上記回線情報は、上記情報受信装置との間の回線の品質が悪いために上記情報を誤り訂正符号化すべきことを示す識別情報と上記情報受信装置との間の回線の品質レベルを示すレベル情報とのいずれかであり、
上記誤り訂正符号化部は、入力された識別情報とレベル情報とのいずれかに基づいて上記入力部により入力された情報を誤り訂正符号化し、
上記出力部は、上記誤り訂正符号化部により誤り訂正符号化された情報を上記情報受信装置に出力することを特徴とする請求項１２記載の情報送信装置。
【請求項１４】
情報送信装置から情報を入力装置に入力させる入力工程と、
上記入力工程により入力された情報が所定の基準により誤り訂正符号化されているかどうかを判定装置に判定させる誤り訂正符号化判定工程と、
上記誤り訂正符号化判定工程により上記情報が誤り訂正符号化されていると判定された場合に、上記入力工程により入力された情報をデコーダに誤り訂正復号させる誤り訂正復号工程と、
上記誤り訂正符号化判定工程により上記情報が誤り訂正符号化されていると判定された場合に、上記誤り訂正復号工程により誤り訂正復号された情報を出力装置に出力させ、上記誤り訂正符号化判定工程により上記情報が誤り訂正符号化されていないと判定された場合に、上記誤り訂正復号工程により誤り訂正復号されていない情報を上記出力装置に出力させる出力工程と
を備えたことを特徴とする情報受信方法。
【請求項１５】
情報受信装置との間の回線の品質を測定する測定機器を用いて上記情報受信装置との間の回線の品質を判定する回線品質判定工程と、
情報を入力装置に入力させる入力工程と、
上記入力工程により入力された情報をエンコーダに誤り訂正符号化させる誤り訂正符号化工程と、
上記回線品質判定工程により上記回線の品質が悪いと判定された場合に、上記誤り訂正符号化工程により誤り訂正符号化された情報をセレクタに選択させ、上記回線品質判定工程により上記回線の品質が悪くないと判定された場合に、上記誤り訂正符号化工程により誤り訂正符号化されていない情報を上記セレクタに選択させる選択工程と、
上記選択工程により選択された情報を出力装置を用いて情報受信装置に出力させる出力工程と
を備えたことを特徴とする情報送信方法。
【請求項１６】
情報を第１の入力装置に入力させる入力工程と、
情報受信装置から上記情報受信装置との間の回線に関する回線情報を第２の入力装置を用いて入力し、入力された回線情報に基づいて上記入力工程により入力された情報をエンコーダに誤り訂正符号化させる誤り訂正符号化工程と、
上記誤り訂正符号化工程により誤り訂正符号化された情報を出力装置を用いて上記情報受信装置に出力させる出力工程と
を備えたことを特徴とする情報送信方法。
【請求項１７】
情報送信装置から情報を入力する入力処理と、
上記入力処理により入力された情報が所定の基準により誤り訂正符号化されているかどうかを判定する誤り訂正符号化判定処理と、
上記誤り訂正符号化判定処理により上記情報が誤り訂正符号化されていると判定された場合に、上記入力処理により入力された情報を誤り訂正復号する誤り訂正復号処理と、
上記誤り訂正符号化判定処理により上記情報が誤り訂正符号化されていると判定された場合に、上記誤り訂正復号処理により誤り訂正復号された情報を出力し、上記誤り訂正符号化判定処理により上記情報が誤り訂正符号化されていないと判定された場合に、上記誤り訂正復号処理により誤り訂正復号されていない情報を出力する出力処理と
をコンピュータに実行させるためのプログラム又は上記プログラムを記録したコンピュータ読み取り可能な記録媒体。
【請求項１８】
情報受信装置との間の回線の品質を判定する回線品質判定処理と、
情報を入力する入力処理と、
上記入力処理により入力された情報を誤り訂正符号化する誤り訂正符号化処理と、
上記回線品質判定処理により上記回線の品質が悪いと判定された場合に、上記誤り訂正符号化処理により誤り訂正符号化された情報を選択し、上記回線品質判定処理により上記回線の品質が悪くないと判定された場合に、上記誤り訂正符号化処理により誤り訂正符号化されていない情報を選択する選択処理と、
上記選択処理により選択された情報を情報受信装置に出力する出力処理と
をコンピュータに実行させるためのプログラム又は上記プログラムを記録したコンピュータ読み取り可能な記録媒体。
【請求項１９】
情報を入力する入力処理と、
情報受信装置から上記情報受信装置との間の回線に関する回線情報を入力し、入力された回線情報に基づいて上記入力工程により入力された情報を誤り訂正符号化する誤り訂正符号化処理と、
上記誤り訂正符号化処理により誤り訂正符号化された情報を上記情報受信装置に出力する出力処理と
をコンピュータに実行させるためのプログラム又は上記プログラムを記録したコンピュータ読み取り可能な記録媒体。
【発明の詳細な説明】
【０００１】
【発明の属する技術分野】
この発明は、情報受信装置又は情報送信装置、及びそれらに関する情報受信方法或いは情報送信方法又はそれらをコンピュータで動作させるプログラムに関する。特に、伝送路を使用してＭＰＥＧ２規格で符号化したデータに対して、誤り訂正機能を自動で設定／認識する誤り訂正機能自動設定システムに関するものである。
【０００２】
【従来の技術】
従来の誤り訂正機能を用いた伝送システムは、受信したデータのエラー状態を監視して、その状態を送信側に伝送し、その情報で誤り訂正機能をＯＮさせる構成となっている（例えば、特許文献１参照）。
【０００３】
【特許文献１】
特開平１０−３２７１０９号公報
【０００４】
【発明が解決しようとする課題】
従来の映像／音声送受信システムは誤り訂正機能の設定に対して、送信側と受信側それぞれで設定しなくてはならず、回線品質の悪化を知るのは受信側で、受信側から送信側に誤り訂正の設定を促す事が必要であり、また、送信側で勝手に設定すると受信側で映像／音声が復号できないなどの課題があった。
【０００５】
この発明は、自動で誤り訂正機能を検知することを目的としており、さらに伝送路上の回線品質を認識し自動で誤り訂正機能を設定することで、映像／音声の障害時間を少なくする事を目的とする。
【０００６】
【課題を解決するための手段】
この発明に係る情報受信装置は、情報送信装置から情報を入力する入力部と、
上記入力部により入力された情報が所定の基準により誤り訂正符号化されているかどうかを判定する誤り訂正符号化判定部と、
上記誤り訂正符号化判定部により上記情報が誤り訂正符号化されていると判定された場合に、上記入力部により入力された情報を誤り訂正復号する誤り訂正復号部と、
上記誤り訂正符号化判定部により上記情報が誤り訂正符号化されていると判定された場合に、上記誤り訂正復号部により誤り訂正復号された情報を出力し、上記誤り訂正符号化判定部により上記情報が誤り訂正符号化されていないと判定された場合に、上記誤り訂正復号部により誤り訂正復号されていない情報を出力する出力部と
を備えたことを特徴とする。
【０００７】
【発明の実施の形態】
実施の形態１．
図１は、実施の形態１における構成を示す図である。
図１では、さらに、実施の形態１による映像／音声データの流れを説明している。図１は、また、伝送路を隔てた送受信部分のシステム図であり、誤り訂正機能自動判定システムを示す図である。
図１において、情報送信装置１００は、伝送路６で情報受信装置２００に接続されている。
情報送信装置１００は、入力部１（入力装置の一例である）、ＭＰＥＧ２符号化部２、デジタルデータが転送中にノイズ等で欠落した場合にそれを自動的に修復できるように符号を付加する誤り訂正符号化部３（エンコーダの一例である）、セレクタ４（選択部の一例である）、送信部５（出力部、出力装置の一例である）を備えている。
情報受信装置２００は、受信部７（入力部、入力装置の一例である）、誤り訂正用の符号が付加されたデジタルデータを復号する誤り訂正復号部８（デコーダの一例である）、セレクタ部９（セレクタ、選択部の一例である）、ＭＰＥＧ２復号部１０（出力部、出力装置の一例である）、出力部１１、フラグ判定部１２（誤り訂正符号化判定部、判定装置の一例である）を備えている。
【０００８】
図２は、ＭＰＥＧ２の規格で符号化されたＴＳデータの簡易的な構造と、このデータをＭＰＥＧ２規格で誤り訂正機能を付加した場合のデータの簡易的な構造とを示す図である。
図２に示す様に、誤り訂正の無いＴＳデータは、一定データ間隔で先頭を示すフラグ１３が出力されている。また、このデータにＭＰＥＧ２規格で誤り訂正を付加すると、１ＴＳデータより長い間隔（先頭フラグ１４と符号化データ１５に、誤り訂正用データ１６が追加されている為）で同様の先頭フラグ１４が出力される。先頭フラグ１３は固定値であるが、先頭フラグ１４は、先頭フラグ１３を一定間隔でビット反転したものになる。（通常は、７ＴＳデータ毎に１回反転データとなる。）
【０００９】
入力部１は、送信する映像／音声データ（情報の一例である）を入力する。ＭＰＥＧ２符号化部２は、ＭＰＥＧ２規格で送信する映像／音声データを符号化する。誤り訂正符号化部３は、ＭＰＥＧ２規格で誤り訂正を行う。送信部５は伝送路６へＴＳデータの送信をおこなう。
【００１０】
入力部の一例として、受信部７は伝送路６からの受信をおこなう。すなわち、受信部７は、情報送信装置１００から情報を入力する。上記受信部７は、図２で示すように所定の間隔でフラグ１３或いはフラグ１４を有する情報として、ＴＳデータを入力する。そして、上記情報は、誤り訂正用データ１６を有している場合と有していない場合とが存在する。
【００１１】
誤り訂正符号化判定部の一例として、図１に示すフラグ判定部１２は、上記受信部７により入力された情報が所定の基準により誤り訂正符号化されているかどうかを判定する。フラグ判定部１２は、上記受信部７により入力された情報が有するフラグ１３或いはフラグ１４の間隔を検出し、検出された間隔に基づいて、上記情報が誤り訂正符号化されているかどうかを判定する。フラグ判定部１２は、上記受信部７により入力された情報が有するフラグの間隔を検出し、検出された間隔が上記誤り訂正用データ１６の分だけ長くなっている場合に、上記情報が誤り訂正符号化されていると判定する。言いかえれば、フラグ判定部１２は、受信部７からのデータの先頭フラグ１３もしくは先頭フラグ１４を検出する。誤り訂正機能が設定されていないＴＳデータを受信した場合は、一定間隔で先頭フラグ１３が受信される。また、誤り訂正機能が設定されたＴＳデータを受信した場合は、ある一定間隔で先頭フラグ１４が受信される。フラグ判定部１２では、この先頭フラグ１３／先頭フラグ１４のどちらを受信しているかを判定し、先頭フラグ１３を受信している場合は、受信したＴＳデータをセレクタ９に出力する。また、先頭フラグ１４を受信している場合は、受信したＴＳデータを誤り訂正復号部８に出力する。そして、フラグ判定部１２は、この先頭フラグ１３／先頭フラグ１４のどちらを受信しているかについての判定結果をセレクタ９に出力する。
【００１２】
誤り訂正復号部８は、上記フラグ判定部１２により上記情報が誤り訂正符号化されていると判定された場合に、上記受信部７により入力された情報を誤り訂正復号する。言いかえれば、上記誤り訂正復号部８は、上記フラグ判定部１２により上記情報が誤り訂正符号化されていると判定された場合に、上記フラグ判定部１２から上記情報を入力し、入力された情報を誤り訂正復号する。
【００１３】
選択部の一例として、セレクタ９は、上記フラグ判定部１２により上記情報が誤り訂正符号化されていると判定された場合に、上記誤り訂正復号部８により誤り訂正復号された情報を選択し、上記フラグ判定部１２により上記情報が誤り訂正符号化されていないと判定された場合に、上記フラグ判定部１２から上記情報を入力し、入力された情報を選択する。セレクタ９は、フラグ判定部１２から入力した判定結果を基に、各出力タイミングでどちらのデータをＭＰＥＧ２復号部１０に出力するか判断する。言いかえれば、セレクタ９は、ＴＳデータが途切れてしまわないように、各出力タイミングでフラグ判定部１２から入力するルートと誤り訂正復号部８から入力するルートとのどちらのルートをＯＮにするかを判断する。
【００１４】
ＭＰＥＧ２復号部１０は、例えば、エンコーダを用いてセレクタ９から入力した情報をＭＰＥＧ２規格で復号する。出力部の一例として、ＭＰＥＧ２復号部１０は、上記フラグ判定部１２により上記情報が誤り訂正符号化されていると判定された場合に、上記誤り訂正復号部８により誤り訂正復号された情報を出力部１１に出力し、上記フラグ判定部１２により上記情報が誤り訂正符号化されていないと判定された場合に、上記誤り訂正復号部８により誤り訂正復号されていない情報を出力部１１に出力する。さらに、別の言い方をすれば、上記ＭＰＥＧ２復号部１０は、上記セレクタ９により選択された情報を出力部１１に出力する。
【００１５】
出力部１１は、ＭＰＥＧ２復号部１０からＭＰＥＧ２規格で復号された情報である映像／音声データを入力し、入力された映像／音声データを出力する。言いかえれば、出力部１１は、上記フラグ判定部１２により上記情報が誤り訂正符号化されていると判定された場合に、上記誤り訂正復号部８により誤り訂正復号された情報を映像或いは音声として外部に出力し、上記フラグ判定部１２により上記情報が誤り訂正符号化されていないと判定された場合に、上記誤り訂正復号部８により誤り訂正復号されていない情報を映像或いは音声として外部に出力する。さらに、別の言い方をすれば、上記出力部１１は、上記セレクタ９により選択された情報を映像或いは音声として外部に出力する。
【００１６】
このフラグ判定部１２を設ける事で、受信したＴＳデータに誤り訂正機能が設定されているか、いないかを自動で判断する為、受信側での切り替え作業等が発生せず、障害時間を短縮する事が可能となる。
【００１７】
以上のように、本実施の形態１における映像／音声送受信システムは、送信する為の映像／音声を入力する入力部１と、入力された映像／音声データをＭＰＥＧ２方式で符号化しＴＳデータとして出力するＭＰＥＧ２符号化部２と、ＴＳデータに対してＭＰＥＧ２規格で誤り訂正を付加する誤り訂正符号化部３と、ＴＳデータと誤り訂正されたデータを選択するセレクト部４と、その選択されたデータを送信する送信部５と、送信されてきたデータを受信する受信部７と、ＭＰＥＧ２規格で誤り訂正されたデータを復号する誤り訂正復号部８と、ＭＰＥＧ２方式のＴＳデータを映像／音声に復号するＭＰＥＧ２復号部１０と、映像／音声データを出力する映像／音声出力部１１を有し、受信部７から出力されるデータに対して、ＭＰＥＧ２方式のＴＳデータ先頭識別用同期フラグを認識し、その間隔及びフラグの値から、送信側で誤り訂正機能を付加したかどうかを自動で判断し、誤り訂正復号部にデータを出力する自動セレクト機能を備えたことを特徴とする。
【００１８】
言いかえれば、この実施の形態１に係る映像／音声送受信システムは、ＭＰＥＧ２で符号化／誤り訂正したデータに対し、データの先頭を示すフラグの間隔と値を認識するとともに、その間隔等から自動で誤り訂正機能が設定されているかを認識できる様にしたものである。また、伝送路の回線品質を調べる事で、自動で誤り訂正機能を設定し、映像／音声の障害時間を少なくするものである。さらに言いかえれば、ＴＳデータの先頭同期バイトを認識し、送信の間隔、同期バイトの反転の有無を調べ、送信側に誤り訂正機能が設定されているか認識し、その結果を元に、受信側で自動で誤り訂正機能の設定をおこなうことができる。
【００１９】
実施の形態２．
図３は、実施の形態２における構成を示す図である。
図３では、さらに、実施の形態２による映像／音声データの流れを説明している。図３は、また、伝送路を隔てた送受信部分のシステム図であり、誤り訂正機能自動判定システムを示す図である。
図３において、図１、及び図２と同一符号は、同一又は同等の機能を示し説明を省略する。
【００２０】
図３において、出力部の一例として、ＭＰＥＧ２復号部１０は、出力する情報にエラーが存在する場合に、エラー情報を上記誤り訂正符号化判定部の一例であるフラグ判定部１７に出力する。
【００２１】
上記フラグ判定部１７は、上記ＭＰＥＧ２復号部１０からエラー情報を入力した場合に、上記情報が誤り訂正符号化されていると判定する。フラグ判定部１７は、セレクタ９か誤り訂正復号部８のどちらか一方のデータから、図２で示したＴＳデータの先頭フラグ１３、１４を判定すると共に、後段のＭＰＥＧ２復号部１０からのエラー情報１８を基に、誤り訂正機能が付加されているかどうかを判断する。判断の方法は、ＴＳデータの先頭フラグが一定間隔で入力されるかと、出力したデータに対してエラー情報１８が無いかで判断する。判断した結果を、セレクタ９に送る。
【００２２】
選択部の一例であるセレクタ９は、上記フラグ判定部１７により上記情報が誤り訂正符号化されていると判定された場合に、上記受信部７により入力された情報を選択し、選択された情報を上記誤り訂正復号部８に出力し、上記フラグ判定部１７により上記情報が誤り訂正符号化されていないと判定された場合に、上記受信部７により入力された情報を選択し、選択された情報を上記フラグ判定部１７に出力する。セレクタ９は、フラグ判定部１７から判定結果を入力し、判定結果に基づいて、受信部７からのデータを誤り訂正復号部８に送るか送らないかを選択する。
【００２３】
このフラグ判定部１７を設ける事で、受信したＴＳデータに誤り訂正機能が設定されているか、いないかを自動で判断する為、受信側での切り替え作業等が発生せず、障害時間を短縮する事が可能となる。
【００２４】
以上のように、本実施の形態２における誤り訂正機能自動設定システムとしての映像／音声送受信システムは、情報受信装置２００におけるＭＰＥＧ２復号部１０の前段にＴＳデータの同期フラグが一定間隔で来る事を検出するフラグ検出部として機能するフラグ判定部１７を設け、ＭＰＥＧ２復号部１０の復号エラー情報と、フラグ判定部１７のエラー情報から、誤り訂正が付加されたかどうかを自動で判断する自動セレクト機能を設けたことを特徴とする。言いかえれば、デコーダからの復号エラー情報と、同期バイトのＳＹＮＣエラー情報から、受信側において自動で誤り訂正機能の設定を変更することができる。
【００２５】
実施の形態３．
図４は、実施の形態３における構成を示す図である。
図４では、さらに、実施の形態３による映像／音声データの流れを説明している。図４は、また、伝送路を隔てた送受信部分のシステム図であり、誤り訂正機能自動判定システムを示す図である。
図４において、図１、及び図２と同一符号は、同一又は同等の機能を示し説明を省略する。情報送信装置１００は、さらに、回線品質判定部１９（測定機器の一例である）を備えている。
【００２６】
回線品質判定部１９は、情報受信装置２００との間の回線である伝送路６の品質を判定する。
入力部１は、情報を入力する。
誤り訂正符号化部３は、上記入力部１により入力された情報を誤り訂正符号化する。
選択部の一例であるセレクタ４は、上記回線品質判定部１９により上記回線の品質が悪いと判定された場合に、上記誤り訂正符号化部３により誤り訂正符号化された情報を選択し、上記回線品質判定部１９により上記回線の品質が悪くないと判定された場合に、上記誤り訂正符号化部３により誤り訂正符号化されていない情報を選択する。
出力部の一例である送信部５は、上記セレクタ４により選択された情報を情報受信装置２００に出力する。
【００２７】
言いかえれば、図４において、送信側で回線品質を測定する回線品質判定部１９を設け、常時回線の品質を確認する。回線の品質が良い場合は、誤り訂正機能を付加しなくても正常にデータを送信可能である。しかし、回線の品質が悪くなると、データのビット落ち等が発生して、正常にデータを送信する事が出来なくなる。回線品質判定部１９では、回線品質を測定し、品質が悪くなってきたと判断した場合に、セレクタ４を切り替える信号を出力する。
セレクタ４は、通常ＭＰＥＧ２符号化部２からのデータを選択しているが、回線品質判定部１９からの切り替え指示を基に、ＭＰＥＧ２誤り訂正符号化部３からのデータを選択するように変更する。
受信側では、実施の形態１で示した様に、回線から受信したデータの先頭フラグをフラグ判定部１２で判断し、誤り訂正機能が付加されていることを自動で判断する。
【００２８】
この回線品質判定部１９を設ける事で、送信側での切り替え作業等が発生せず、また、受信側でも誤り訂正の判断を自動で行う為、受信側での切り替え作業等も発生しない。これにより、送受合わせた障害時間を短縮する事が可能となる。
【００２９】
以上のように、実施の形態３における誤り訂正機能自動設定システムとしての映像／音声送受信システムは、送信側である情報送信装置１００に送信部／受信部間の伝送路６の品質を測定する回線品質測定部を設け、伝送路６の品質状態から誤り訂正機能を自動で設定することを特徴とする。言いかえれば、送信側に伝送路の回線品質を測定する機器を設けておき、回線品質の悪化、回復を認識し、送信側は、自動で誤り訂正機能を設定／解除することができる。受信側では、ＴＳデータの先頭同期バイトから自動で誤り訂正機能を設定／解除することができる。
【００３０】
実施の形態４．
図５は、実施の形態４における構成を示す図である。
図５では、さらに、実施の形態４による映像／音声データの流れを説明している。図５は、また、伝送路を隔てた送受信部分のシステム図であり、誤り訂正機能自動判定システムを示す図である。
図５において、図１、及び図２と同一符号は、同一又は同等の機能を示し説明を省略する。
図５において、伝送路６にて送られてきたＴＳデータをＭＰＥＧ２復号部１０で映像と音声に復号する時、伝送路の品質が悪くなるとＴＳデータが崩れる等の障害が発生し、復号エラーとなってしまう。このエラー情報１８を利用して、伝送路６の回線品質悪化を判断し、情報受信装置２００は、この情報を情報送信装置１００と情報受信装置２００とにそれぞれ備えられた回線送受信部２０を介して送信側に伝送し、情報送信装置１００は、セレクタ４を切り替える。
これにより、回線品質が悪化して受信側で復号エラーが発生すると、送信側で自動で誤り訂正機能が付加される様になる。すなわち、誤り訂正符号化部３により符号化したＴＳデータを送信する。一方、受信側では、フラグ判定部１２にて誤り訂正が付加されていることを判断する為、送信側／受信側の双方において、自動で切り替え処理が実施される。
【００３１】
このエラー情報１８を送信側に送る機能を設ける事で、回線品質の悪化でエラーが発生すると、自動で誤り訂正機能を付加する為、送受信側それぞれでの切り替え作業がなくなると共に、障害時間を短縮する事が可能となる。
【００３２】
以上のように、本実施の形態４における誤り訂正機能自動設定システムとしての映像／音声送受信システムは、受信側の復号エラー情報を基に、伝送路の回線品質の悪化を判断し、その情報を送信側に伝送する事で、自動で誤り訂正機能を設定することを特徴とする。言いかえれば、回線品質を測定する機器の代わりに、デコーダからの復号エラー発生頻度を元に、回線の品質悪化を自動で認識し、その情報を送信側に伝送して、自動で送信側の誤り訂正機能を設定し、同時に受信側も誤り訂正機能を設定することができる。
【００３３】
実施の形態５．
図６は、実施の形態５における構成を示す図である。
図６では、さらに、実施の形態５による映像／音声データの流れを説明している。図６は、また、伝送路を隔てた送受信部分のシステム図であり、誤り訂正機能自動判定システムを示す図である。
図６において、図１、図２及び図４と同一符号は、同一又は同等の機能を示し説明を省略する。
【００３４】
上記情報送信装置１００は、図１の構成に対し、さらに、上記情報受信装置２００との間の回線である伝送路６の品質を判定する回線品質判定部１９を備えている。
また、上記情報受信装置２００も、図１の構成に対し、さらに、上記情報送信装置１００との間の回線である伝送路６の品質を判定する回線品質判定部１９を上記情報送信装置１００とは別に備えている。
上記誤り訂正符号化判定部の一例であるフラグ判定部１２は、上記回線品質判定部により回線の品質が悪いと判定された場合に、上記情報受信装置２００が上記情報送信装置１００から受信した上記情報としてのＴＳデータが誤り訂正符号化されていると判定する。
【００３５】
言い換えれば、図６において、送受信両方で回線品質を測定する回線品質判定部１９を設け、常時回線の品質を確認する。回線の品質が良い場合は、誤り訂正機能を付加しなくても正常にデータを送信可能である。しかし、回線の品質が悪くなると、データのビット落ち等が発生して、正常にデータを送信する事が出来なくなる。各回線品質判定部１９では、回線品質を測定し、品質が悪くなってきたと判断した場合に、それぞれセレクタ４及びセレクタ９を切り替える信号をそれぞれセレクタ４及びセレクタ９に対して出力する。
セレクタ４は、通常ＭＰＥＧ２符号化部２からのデータを選択しているが、情報送信装置１００における回線品質判定部１９からの切り替え指示を基に、ＭＰＥＧ２誤り訂正符号化部３からのデータを選択するように変更する。
セレクタ９は、通常フラグ判定部１２からのデータを選択しているが、情報受信装置２００における回線品質判定部１９からの切り替え指示を基に、ＭＰＥＧ２誤り訂正復号部８からのデータを選択するように変更する。
【００３６】
この回線品質判定部１９を送受で設ける事で、回線の品質が悪化したら送受信同時に誤り訂正機能がＯＮになり、各々での切り替え作業等が発生しない。これにより、送受合わせた障害時間を短縮する事が可能となる。
【００３７】
以上のように、実施の形態５における誤り訂正機能自動設定システムとしての映像／音声送受信システムは、回線品質測定部１９からの情報を基に、送信側／受信側両方自動で誤り訂正機能のＯＮ／ＯＦＦを行うようにする事にし、映像／音声の障害時間の短縮が可能としたことを特徴とする。言いかえれば、回線品質の状況から自動で誤り訂正機能を設定すると共に、回線品質の回復も認識し、誤り訂正機能の解除も自動で設定することができる。
【００３８】
実施の形態６．
図７は、実施の形態６における構成を示す図である。
図７では、さらに、実施の形態６による映像／音声データの流れを説明している。図７は、また、伝送路を隔てた送受信部分のシステム図であり、誤り訂正機能自動判定システムを示す図である。
図７において、図１、図２と同一符号は、同一又は同等の機能を示し説明を省略する。
【００３９】
上記情報受信装置２００は、図１の構成に対し、さらに、複数のバッファ２１（バッファ部の一例である）を備えている。
複数のバッファ２１の各バッファ２１は、上記情報であるＴＳデータが上記誤り訂正符号化判定部の一例であるフラグ判定部１２により判定されている第１の期間と上記誤り訂正復号部８により誤り訂正復号されている第２の期間との間、上記入力部の一例である受信部７により入力された情報を蓄積する。
【００４０】
言い換えると、図７において、バッファ２１は回線受信部７からのデータを蓄積する。蓄積する量は、フラグ判定部１２にてＯＮ／ＯＦＦを判定する時間（第１の期間の一例である）とＭＰＥＧ２誤り訂正復号部８で復号するまでの時間（第２の期間の一例である）をあわせた時間分蓄積する。また、このバッファ量の切り替えはフラグ判定部１２からの指示にて変更する。
実施の形態１における映像／音声送受信システムでは、送信側にて誤り訂正機能が付加されると、受信側のフラグ判定部１２にて認識するまでの時間と、ＭＰＥＧ２誤り訂正復号部８の処理時間の間は、送信データが途切れてしまい、受信側の映像・音声出力が停止してしまう障害が発生する。
バッファ２１によって蓄積されたデータを用いる事で、誤り訂正が送信側で切り替えられた場合でも、フラグ判定部１２にてセレクタ９を切り替えるまでのデータがバッファ２１に蓄積されている為、ＭＰＥＧ２復号部１０ではその間正常に復号され、映像が停止する障害が発生しにくくなる。
【００４１】
このバッファ２１を設ける事で、誤り訂正のフラグ判定によるＭＰＥＧ２復号部１０に対するデータの途切れが無くなり、誤り訂正ＯＮ／ＯＦＦによる障害時間を短縮する事が可能となる。
【００４２】
以上のように、実施の形態６における誤り訂正機能自動設定システムとしての映像／音声送受信システムは、受信部７の出力側に２重のバッファを設け、誤り訂正機能のＯＮ／ＯＦＦによる検出時間分のデータを保持する機能を設ける事で、切り替えによるデータの欠如を無くし、映像／音声の障害時間の短縮を可能としたことを特徴とする。
【００４３】
実施の形態６では、受信部７の出力側に２重のバッファ２１を設けているが、受信部７の入力側に２重のバッファ２１を設け、受信部７が２重のＴＳデータを受信するようにしても同様の効果を得ることができる。また、２重のバッファ２１ではなく、１つのバッファからの出力をフラグ判定部１２とセレクタ９とに分岐するようにしても同様の効果を得ることができる。
【００４４】
実施の形態７．
図８は、実施の形態７における構成を示す図である。
図８では、さらに、実施の形態７による映像／音声データの流れを説明している。図８は、また、伝送路を隔てた送受信部分のシステム図であり、誤り訂正機能自動判定システムを示す図である。
図８において、図１、図２及び図６と同一符号は、同一又は同等の機能を示し説明を省略する。
【００４５】
上記情報送信装置１００は、図１の構成に対し、誤り訂正符号化部３の代わりに、自己の処理動作を自己でＯＮ／ＯＦＦ切り替えをおこなうＯＮ／ＯＦＦ切り替え機能付きの誤り訂正符号化部２２と、送信部５の代わりに、回線である伝送路６を介して情報を送受信する送受信部２０（入力装置の一例である）を備えている。
【００４６】
上記情報受信装置２００は、図１の構成に対し、さらに、回線品質判定部１９を備え、受信部７の代わりに、上記情報送信装置１００に所定の情報を出力可能な出入力部として機能し、回線である伝送路６を介して情報を送受信する送受信部２０（出力装置の一例である）を備えている。
【００４７】
まず、情報受信装置２００側では、回線品質判定部１９が、上記入力部の一例である送受信部２０により入力された情報に基づいて上記情報送信装置１００との間の回線である伝送路６の品質を判定し、回線の品質が悪いと判定された場合に、例えば、上記情報を誤り訂正符号化すべきことを示す識別情報を出力する。
【００４８】
送受信部２０は、上記回線品質判定部１９により出力された識別情報を回線情報として上記情報送信装置１００に出力する。
【００４９】
上記誤り訂正符号化判定部の一例であるフラグ判定部１２は、上記回線品質判定部１９により回線の品質が悪いと判定された場合に、上記情報が誤り訂正符号化されていると判定する。
【００５０】
一方、情報送信装置１００側では、入力部１が情報を入力する。
【００５１】
そして、誤り訂正符号化部２２は、情報受信装置２００から上記情報受信装置２００との間の回線である伝送路６に関する上記回線情報を入力し、入力された回線情報に基づいて上記入力部１により入力された情報を誤り訂正符号化する。上記回線情報は、上述のように、例えば、上記情報受信装置２００との間の回線の品質が悪いために上記情報を誤り訂正符号化すべきことを示す識別情報である。そして、上記誤り訂正符号化部２２は、入力された識別情報に基づいて上記入力部１により入力された情報を誤り訂正符号化する。
【００５２】
出力部の一例として、送信側の送受信部２０は、上記誤り訂正符号化部２２により誤り訂正符号化された情報を上記情報受信装置２００に出力する。
【００５３】
言い換えると、図８において、回線送受信部２０からの受信データに対して、回線品質を調べる回線品質判定部１９を設け、常時回線の品質を確認する。回線の品質が良い場合は、誤り訂正機能を付加しなくても正常にデータを送信可能である。しかし、回線の品質が悪くなると、データのビット落ち等が発生して、正常にデータを送信する事が出来なくなる。回線品質判定部１９では、回線品質を測定し、品質が悪くなってきたと判断した場合に、判定した結果を受信側の回線送受信部２０に出力する。受信側の回線送受信部２０は、入力された回線品質判定部１９により判定した結果を送信側である情報送信装置１００へ送信する。
送信側では、送信側の回線送受信部２０にて受信した判定結果を基に、ＭＰＥＧ２誤り訂正符号化部２２にて誤り訂正機能をＯＮ／ＯＦＦする。
また、回線品質判定部１９からの情報は、フラグ判定部１２にも送信され、受信側においてもセレクタ９にて切り替える事が可能となる。
【００５４】
この回線品質判定部１９とＭＰＥＧ２誤り訂正符号化部２２を設ける事で、回線の品質が悪化したら送受信同時に誤り訂正機能がＯＮになり、各々での切り替え作業等が発生しない。これにより、送受合わせた障害時間を短縮する事が可能となる。
【００５５】
以上のように、実施の形態７における誤り訂正機能自動設定システムとしての映像／音声送受信システムは、受信側で伝送路の回線品質を測定する回線品質測定部を設け、回線品質の悪化の情報を送信側に伝送し、その情報で誤り訂正機能を自動で設定することを特徴とする。言いかえれば、回線品質を測定する機器からのデータを元に、回線の品質悪化を認識し、その情報を送信側に伝送して、自動で送信側の誤り訂正機能を設定し、同時に受信側も誤り訂正機能を設定することができる。
【００５６】
実施の形態８．
図９は、実施の形態８における構成を示す図である。
図９では、さらに、実施の形態８による映像／音声データの流れを説明している。図９は、また、伝送路を隔てた送受信部分のシステム図であり、誤り訂正機能自動判定システムを示す図である。
図９において、図１、図２及び図８と同一符号は、同一又は同等の機能を示し説明を省略する。
【００５７】
上記情報送信装置１００は、図８の構成に対し、誤り訂正符号化部２２の代わりに、所定の基準レベルで自己の処理動作を自己でＯＮ／ＯＦＦ切り替えをおこなうレベル変更可能なＯＮ／ＯＦＦ切り替え機能付きの誤り訂正符号化部２３を備えている。
【００５８】
上記情報受信装置２００は、図８の構成に対し、誤り訂正復号部８の代わりに、所定の基準レベルで自己の処理動作を自己でＯＮ／ＯＦＦ切り替えをおこなうレベル変更可能なＯＮ／ＯＦＦ切り替え機能付きの誤り訂正復号部２４を備えている。
【００５９】
まず、情報受信装置２００側では、回線品質測定部の一例として、回線品質判定部１９が、上記入力部の一例である送受信部２０により入力された情報に基づいて上記情報送信装置１００との間の回線である伝送路６の品質レベルを測定し、品質レベルを示すレベル情報として送受信部２０に出力する。
【００６０】
送受信部２０は、上記回線品質判定部１９により測定されたレベル情報を回線情報として上記情報送信装置１００に出力する。
【００６１】
誤り訂正符号化判定部の一例であるフラグ判定部１２は、上記回線品質判定部１９により測定された回線の品質レベルが所定の基準と比較し悪い場合に、上記情報が誤り訂正符号化されていると判定する。
【００６２】
一方、情報送信装置１００側では、入力部１が情報を入力する。
【００６３】
そして、誤り訂正符号化部２３は、情報受信装置２００から上記情報受信装置２００との間の回線である伝送路６に関する上記回線情報を入力し、入力された回線情報に基づいて上記入力部１により入力された情報を誤り訂正符号化する。上記回線情報は、上述のように、例えば、上記情報受信装置との間の回線の品質レベルを示すレベル情報である。そして、上記誤り訂正符号化部２３は、入力されたレベル情報に基づいて上記入力部１により入力された情報を誤り訂正符号化する。
【００６４】
出力部の一例として、送信側の送受信部２０は、上記誤り訂正符号化部２３により誤り訂正符号化された情報を上記情報受信装置２００に出力する。
【００６５】
言い換えると、図９において、受信側の回線送受信部２０から出力された受信データに対して、回線品質を調べる回線品質判定部１９を設け、常時回線の品質を確認する。回線の品質が良い場合は、誤り訂正機能を付加しなくても正常にデータを送信可能である。しかし、回線の品質が悪くなると、データのビット落ち等が発生して、正常にデータを送信する事が出来なくなる。回線品質判定部１９では、回線品質のレベルを測定し、常時回線品質レベルを送信側へ送信する。
送信側では、受信した回線品質レベルを基に、ＭＰＥＧ２誤り訂正符号化部２３にて誤り訂正機能をＯＮ／ＯＦＦ及び、誤り訂正機能のレベルを設定する。
また、回線品質判定部１９からの情報は、フラグ判定部１２及びＭＰＥＧ２誤り訂正復号部２４にも送信され、受信側においてもセレクタ９にて切り替える事と誤り訂正レベルを自動で切り替える事が可能となる。
【００６６】
この回線品質判定部１９とＭＰＥＧ２誤り訂正符号化部２３を設ける事で、回線の品質が悪化したら送受信同時に誤り訂正機能がＯＮになり、各々での切り替え作業等が発生しない。また、回線品質のレベルによって、誤り訂正レベルを可変する事が可能となり、これにより、送受合わせた障害時間や伝送遅延を短縮する事が可能となる。
【００６７】
以上のように、実施の形態８における誤り訂正機能自動設定システムとしての映像／音声送受信システムは、回線品質測定部からの情報を基に、誤り訂正機能の訂正レベルを変化させて設定することを特徴とする。
【００６８】
上記各実施の形態では、以上説明した様に、誤り訂正機能のＯＮ／ＯＦＦを識別するフラグ判定部を設ける事で、受信したＴＳデータに誤り訂正機能が設定されているか、いないかを自動で判断する為、受信側での誤り訂正機能の切り替え作業等が発生せず、出力される映像・音声信号の障害時間を短縮する事が可能となる。
【００６９】
以上のように、上記実施の形態の映像／音声送受信システムにおいては、ＭＰＥＧ２で符号化／誤り訂正したデータに対し、データの先頭を示すフラグの間隔と値を認識するフラグ判定部を設ける事で、先頭フラグ間隔等から自動で誤り訂正機能が設定されているかを認識できる。
さらに、伝送路の回線品質を調べる回線品質判定部を用いる事で、自動で誤り訂正機能を設定し、映像／音声の障害時間を少なくするものである。
【００７０】
以上のように、上記各実施の形態によれば、従来の映像／音声送受信システムのように誤り訂正機能の設定に対して、送信側と受信側それぞれで設定しなくてはならず、回線品質の悪化を知るのは受信側で、受信側から送信側に誤り訂正の設定を促すといった事が不要となり、また、送信側で勝手に設定すると受信側で映像／音声が復号できないなどの課題を解決することができる。
【００７１】
また、以上の説明において、各実施の形態の説明において「〜部」或いは「セレクタ」として説明したものは、一部或いはすべてコンピュータで動作可能なプログラムにより構成することができる。これらのプログラムは、例えば、Ｃ言語により作成することができる。或いは、ＨＴＭＬやＳＧＭＬやＸＭＬを用いても構わない。或いは、ＪＡＶＡ（登録商標）を用いて画面表示を行っても構わない。
【００７２】
以上の説明において、各実施の形態の説明において「〜部」として説明したものを、一部或いはすべてコンピュータで動作可能なプログラムにより構成する場合、情報送信装置１００は、図示されていないが、システムユニット、ＣＲＴ（Ｃａｔｈｏｄｅ  Ｒａｙ  Ｔｕｂｅ）表示装置（出力部、出力装置の一例である）、キーボード（Ｋ／Ｂ）（入力部、入力装置の一例である）、マウス（入力部、入力装置の一例である）、コンパクトディスク装置（ＣＤＤ）（入力部、入力装置の一例である）、プリンタ装置（出力部、出力装置の一例である）、スキャナ装置（入力部、入力装置の一例である）を備えている。ＣＲＴ表示装置、Ｋ／Ｂ、マウス、ＣＤＤ、プリンタ装置、スキャナ装置は、システムユニットにケーブルで接続されている。
同様に、情報受信装置２００は、図示されていないが、システムユニット、ＣＲＴ（Ｃａｔｈｏｄｅ  Ｒａｙ  Ｔｕｂｅ）表示装置（出力部、出力装置の一例である）、キーボード（Ｋ／Ｂ）（入力部、入力装置の一例である）、マウス（入力部、入力装置の一例である）、コンパクトディスク装置（ＣＤＤ）（入力部、入力装置の一例である）、プリンタ装置（出力部、出力装置の一例である）、スキャナ装置（入力部、入力装置の一例である）を備えている。ＣＲＴ表示装置、Ｋ／Ｂ、マウス、ＣＤＤ、プリンタ装置、スキャナ装置は、システムユニットにケーブルで接続されている。
また、情報送信装置１００は、図示されていないが、プログラムを実行するＣＰＵ（Ｃｅｎｔｒａｌ  Ｐｒｏｃｅｓｓｉｎｇ  Ｕｎｉｔ）を備えている。ＣＰＵは、バスを介してＲＯＭ（Ｒｅａｄ  Ｏｎｌｙ  Ｍｅｍｏｒｙ）（記憶装置の一例である）、ＲＡＭ（Ｒａｎｄｏｍ  Ａｃｃｅｓｓ  Ｍｅｍｏｒｙ）（記憶装置の一例である）、通信ボード（入力部、入力装置、出力部、出力装置の一例である）、ＣＲＴ表示装置、Ｋ／Ｂ、マウス、ＦＤＤ（Ｆｌｅｘｉｂｌｅ  Ｄｉｓｋ  Ｄｒｉｖｅ）（入力部、入力装置の一例である）、磁気ディスク装置（記憶装置の一例である）、ＣＤＤ、プリンタ装置、スキャナ装置と接続されている。通信ボードは、伝送路６に接続されている。
同様に、情報受信装置２００は、図示されていないが、プログラムを実行するＣＰＵ（Ｃｅｎｔｒａｌ  Ｐｒｏｃｅｓｓｉｎｇ  Ｕｎｉｔ）を備えている。ＣＰＵは、バスを介してＲＯＭ（Ｒｅａｄ  Ｏｎｌｙ  Ｍｅｍｏｒｙ）（記憶装置の一例である）、ＲＡＭ（Ｒａｎｄｏｍ  Ａｃｃｅｓｓ  Ｍｅｍｏｒｙ）（記憶装置の一例である）、通信ボード（入力部、入力装置、出力部、出力装置の一例である）、ＣＲＴ表示装置、Ｋ／Ｂ、マウス、ＦＤＤ（入力部、入力装置の一例である）、磁気ディスク装置（記憶装置の一例である）、ＣＤＤ、プリンタ装置、スキャナ装置と接続されている。通信ボードは、伝送路６に接続されている。
ここで、通信ボードは、インターネットに限らず、さらに、インターネット、ＬＡＮ（ローカルエリアネットワーク）、或いはＩＳＤＮ等のＷＡＮ（ワイドエリアネットワーク）、或いは専用回線等に接続されていても構わない。
磁気ディスク装置には、オペレーティングシステム（ＯＳ）、ウィンドウシステム、プログラム群、ファイル群が記憶されている。プログラム群は、ＣＰＵ、ＯＳ、ウィンドウシステムにより実行される。
プログラムにより構成する場合、上記プログラム群には、各実施の形態の説明において「〜部」或いは「セレクタ」として説明したものにより実行されるプログラムが記憶されている。
また、各実施の形態の説明において「〜部」として説明したものは、ＲＯＭに記憶されたファームウェアで実現されていても構わない。或いは、ソフトウェア或いは、ハードウェア或いは、ソフトウェアとハードウェアとファームウェアとの組み合わせで実施されても構わない。
また、上記各実施の形態を実施させるプログラムは、また、磁気ディスク装置、ＦＤ（Ｆｌｅｘｉｂｌｅ  Ｄｉｓｋ）、光ディスク、ＣＤ（コンパクトディスク）、ＭＤ（ミニディスク）、ＤＶＤ（Ｄｉｇｉｔａｌ  Ｖｅｒｓａｔｉｌｅ  Ｄｉｓｋ）等のその他の記録媒体による記録装置を用いて記憶されても構わない。
また、出力部は、ＣＲＴ表示装置、その他の表示装置、プリンタ装置等の出力装置を用いても構わない。
【００７３】
【発明の効果】
この発明によれば、受信側において受信した情報に誤り訂正機能が設定されているか、いないかを自動で判断する為、受信側での誤り訂正機能の切り替え作業等が発生せず、出力される情報の障害時間を短縮する事が可能となる。
【図面の簡単な説明】
【図１】実施の形態１における構成を示す図である。
【図２】ＭＰＥＧ２の規格で符号化されたＴＳデータの簡易的な構造と、このデータをＭＰＥＧ２規格で誤り訂正機能を付加した場合のデータの簡易的な構造とを示す図である。
【図３】実施の形態２における構成を示す図である。
【図４】実施の形態３における構成を示す図である。
【図５】実施の形態４における構成を示す図である。
【図６】実施の形態５における構成を示す図である。
【図７】実施の形態６における構成を示す図である。
【図８】実施の形態７における構成を示す図である。
【図９】実施の形態８における構成を示す図である。
【符号の説明】
１  入力部、２  ＭＰＥＧ２符号化部、３，２２，２３  誤り訂正符号化部、４  セレクタ、５  送信部、６  伝送路、７  受信部、８，２４  誤り訂正復号部、９  セレクタ、１０  ＭＰＥＧ２復号部、１１  出力部、１２  フラグ判定部、１３，１４  フラグ、１５  符号化データ、１６  誤り訂正用データ、１７フラグ判定部、１８  エラー情報、１９  回線品質判定部、２０  送受信部、２１  バッファ。
【図１】
2004312425.tif 000003
【図２】
2004312425.tif 000004
【図３】
2004312425.tif 000005
【図４】
2004312425.tif 000006
【図５】
2004312425.tif 000007
【図６】
2004312425.tif 000008
【図７】
2004312425.tif 000009
【図８】
2004312425.tif 000010
【図９】
2004312425.tif 000011